(57)【要約】【課題】湾曲可能なイヤホンのイヤーピースにおいて、その材質と形状に起因して元に戻ろうとする復元力によって、外耳道の周壁が押される違和感を感じることを解決し、装着時における外耳道へのイヤーピースの密着性を向上させ、更には良好な音質と装着感が得られるイヤホンを提供することを目的とする。【解決手段】音導管の先端部に取り付けられたイヤーピースを、鼓膜に音波が直線的に届く様に正対した位置になる様に湾曲させた状態で固定可能に構成した。【選択図】図４
2018182707.tif 000002
【特許請求の範囲】
【請求項１】
ドライバーユニットを内蔵したハウジングの前方に突設させた音導管と、前記音導管の先端部に取り付けられたイヤーピースとを備えたイヤホンにおいて、イヤホンを外耳道に装着した時に、前記イヤーピースを鼓膜に正対した角度で湾曲させた状態で固定可能としたことを特徴とするイヤホン。
【請求項２】
請求項１記載のイヤホンにおいて、イヤーピースが湾曲する方向を、イヤホン本体の鉛直方向を軸として回転する方向にのみ制限する規制部材を設けたことを特徴とするイヤホン。
【発明の詳細な説明】
【発明の詳細な説明】
【技術分野】
【０００１】本発明は、いわゆるカナル型の密閉型イヤホンにおいて、ドライバーユニットを内蔵したハウジングから突設された音導管の先端部に装着され、使用者の外耳道に挿入される際に、その向きを鼓膜に正対する方向へと湾曲させることが可能なイヤーピースに関するものである。
【背景技術】
【０００２】いわゆるカナル型といわれる、外耳道に深く挿入する形式の密閉型イヤホンは、ドライバーユニットを内蔵したハウジングから突設された音導管の先端部に、柔軟なイヤーピースが設けられる構成となっており、このイヤーピースと音導管とを外耳道の周壁に密着させる様に挿入して使用される。【０００３】密閉型であるカナル型のイヤホンは、本来、密閉されることによる良好な遮音性を有しているが、その密閉性については人の外耳道に個人差が有ることの影響を受ける。その密閉が緩いと、本来の良好な音質が得られなかったり、装着感が悪くなるなどの問題が発生してしまう。
そのため、カナル型のイヤホンにおいては、外耳道へ挿入するイヤーピースを着脱式とし、大きさの異なる複数の部品を付け替えるなどして、個人差に対応した良好な密閉性を得ようとするのが一般的である。【０００４】また、イヤホンの密閉性を更に向上させ、良好な音質を得るために、イヤーピースを湾曲可能とすることも提案されている。
即ち、イヤホンのイヤーピースに関連する技術を開示した特許文献１には、出音端と入音端を具えてイヤホンの音筒部に嵌合された中空管体と、該管体の出音端に延設されて外耳道に挿入される外カバーと、該管体の出音端に設けられる緩衝部と、を包含するイヤホンのイヤーピースについて開示されており、この緩衝部により、イヤーピースがねじれ変形することによって、装着感を良好とし、外耳道の圧迫感を減らし、空隙を発生せず聴取品質を高めることができるとしている。
【特許文献】
【０００５】
【特許文献１】特許第５６６９７０８号公報
【発明の概要】
【発明が解決しようとする課題】
【０００６】人の外耳道には、その入口から鼓膜に至るまでの間に屈曲部がある。
特許文献１のイヤーピースは、その緩衝部が湾曲することによって、外耳道の個人差や、その複雑さに適合して、緊密にフィットし、着用感を良好とし、外耳道の圧迫感を減らし、また緊密に着用されて空隙を発生しにくく、これにより聴取品質をアップできる。としている。【０００７】しかし、緩衝部が湾曲するに際しては、先ずイヤホン本体の側辺に外向きに延設された音筒部の凸環が、イヤーピースの入音端の係止環状溝と嵌合される構成となっているため、音筒部とイヤーピースの入音端とは直線的かつ硬直的に固定されており、外耳道の屈曲部に沿った湾曲を司っているのは、イヤーピースの緩衝部が変形することによっている。【０００８】このイヤーピースは、材質を軟質ゴム材質などの弾性体としており、外カバーの変形によって、外耳道のサイズや形状には緊密にフィットし、更に緩衝部の変形によって角度θで湾曲して、外耳道が屈曲する方向にもフィットする構成となっているが、緩衝部は、その材質と形状に起因して元に戻ろうとする復元力を有しているため、イヤーピースが常に直線状に復元しようとする方向に、外耳道の周壁が押される違和感を感じることが有った。【０００９】本発明は、この様な従来技術の問題点である、外耳道の周壁が押される違和感を感じることなく、装着時における外耳道へのイヤーピースの密着性を向上させ、更には良好な音質と装着感が得られるイヤホンを提供することを目的とする。
【課題を解決するための手段】
【００１０】本発明に係るイヤホンは、ドライバーユニットとフロントハウジングとを内蔵したリアハウジングと、フロントハウジングの前方に突設させた音導管と、音導管の先端部に着脱可能に取り付けられたイヤーピースとを備え、そのイヤーピースを、鼓膜に音波が直線的に届く様に正対した方向となる角度で湾曲させた状態で固定可能とし、更にはその湾曲する角度を制限する規制部材を有することを特徴とする。
【発明の効果】
【００１１】本発明にかかるイヤーピースは、音導管の先端部に取り付けられ、鼓膜に音波が直線的に届く様に正対した位置になる様に湾曲させた状態で固定可能に構成したことにより、外耳道に挿入した時の密着性を向上させ、更に良好な音質と装着感が得られるイヤホンを提供することが出来る。
【発明を実施するための形態】
【００１２】以下、本発明に係るイヤホンの実施例について図面を参照しながら説明する。
【００１３】図１に示されるように、本発明に係るイヤホン１は、音声信号により振動板を駆動するドライバーユニット４と、前記ドライバーユニット４の前方に配置されたフロントハウジング３と、前記ドライバーユニット４とフロントハウジング３とをその内部に収納した円筒形のリアハウジング５とを備える。
【００１４】前記フロントハウジング３は、貫通孔を有する略円筒形状であり、その前方にはドライバーユニット４の振動板が振動することによって生じた音波を伝えるための音導管３１が伸びている。
【００１５】また、前記フロントハウジング３の後方は、ドライバーユニット４側に向かって、内部の貫通孔径を次第に大きくする様に円錐台状に構成されている。円錐台部３２の表面の斜面には軸方向に垂直に板部材３３が立設されている。
更に、前記音導管３１の先端部には、環状の係合凸部３４が形成されており、イヤーピース２を着脱自在に装着することが出来る。
【００１６】フロントハウジング３から突設した前記音導管３１の先端部に取り付けられるイヤーピース２は、シリコーンゴムやエラストマー等の弾性材料からなり、音導管３１の係合凸部３４に装着される円筒状の筒状部２１と、筒状部の前端から後方に向けて広がる傘状部２２とを有している。
また、前記筒状部２１の内面には、その周方向にフロントハウジング３の音導管３１と係合するための凸環２３が設けられている。
【００１７】フロントハウジング３の中央部の表面は、その後方に設けられた円錐台部３２に続く斜面へと連続した面で構成されている。よって、係合凸部３４に係合されたイヤーピースの筒状部２１は、手指で後方に押すことで係合した位置から移動させることが可能である。
【００１８】特にイヤーピース２の筒状部２１の任意な片側だけを、後方に押し上げる様に移動させると、イヤーピース２の凸環２３の片側だけをフロントハウジング３の円錐台部３２に続く斜面に沿って移動させることが出来る。
イヤーピース２は、シリコーンゴム等の弾性材料から構成されているため、筒状部２１の片側だけを後方にずらしていくとそれに伴って変形していく。この変形によって、フロントハウジング３の音導管３１とイヤーピース２の軸方向とが角度を持って湾曲した状態となる。
更に、この角度を調節することで、外耳道が屈曲する位置において、イヤーピース２を鼓膜６の方向に正対する様に向けることが可能となる。
【００１９】弾性材料からなるイヤーピース２は、後方へと移動させた位置で、フロントハウジング３の表面との摩擦力によって元の位置に戻ることなく変形が維持される。よって、外耳道の中で鼓膜の方向に正対する位置に湾曲した状態から元の位置へと復元する力は作用せず、角度を持った湾曲状態が維持される。
これにより、外耳道にイヤーピース２を挿入した時の密着性を向上させることが出来るとともに、変形したイヤーピース２が元に戻ろうとする復元力を感じることもなく、鼓膜の方向に向けて湾曲した状態が維持され、良好な音質と装着感とが得られるイヤホンを提供することが出来る。
【００２０】ここで、フロントハウジング３後方の円錐台部３２の表面にはイヤホン本体を外耳道に装着した状態での鉛直方向と平行に板部材３３が立設されている。
この板部材３３によって、イヤーピース２を後方に押して移動させる方向を、イヤホン本体を外耳道に装着した状態での鉛直方向を軸として回転する方向にのみ規制することが出来る様になる。
【００２１】外耳道の屈曲方向は個人差が有るとはいえ、基本的に外耳道の奥へと進んだ位置で、前方へと屈曲することには変わりがない。
よって、外耳道に装着したイヤホン本体の先端で、イヤーピース２を鼓膜６に向けて湾曲させるべき方向は、イヤホン本体の鉛直方向を軸として左右に湾曲させる方向と一致する。
よって、鼓膜６に向けてイヤーピース２を湾曲させるのは鉛直方向を軸として回転する方向にのみ変形出来れば良く、それ以外の方向にも変形を許す様に自由度を持たせてしまうと、鼓膜６の方向へ適切に調整することが却って難しくなってしまう。
【００２２】そこで、この板部材３３によって、外耳道が屈曲するべき方向にのみ、イヤーピース２を後方の円錐台部３２へと押し上げることが可能となり、その移動する方向を規制することによって、外耳道から鼓膜６へと正対する方向にイヤーピース２の湾曲を設定することが容易となる。
【００２３】尚、板部材３３は、イヤホン本体を外耳道に装着した状態で、フロントハウジング３の鉛直軸方向の上方、下方またはその両方に設けることが出来る。また、板部材３３の枚数は単数とすることも複数で設けることも出来る。
【００２４】更に、板部材３３に代えて、円柱状の部材を立設させるなど、イヤーピース２の後方の円錐台部３２の斜面へと押し上げる方向を規制することが可能であれば、その形状については、特に制限されない。
【００２５】本発明のカナル型イヤホンについては、フロントハウジング３とドライバーユニット４とを包含するリアハウジング５とで構成される例として説明したが、ハウジングは分割せずに一体として、その先端に音導管を設ける構成としても差支え無い。
【００２６】また、イヤーピース２の筒状部２１には、硬度の高い材料を用い、傘部２２には硬度が低い材料を用いることで、音波の通過を邪魔しない構成とすることも出来る。
【発明の効果】
【００２７】以上の様に、イヤーピース２の変形と、フロントハウジング３に設けた板部材３３によって、鉛直軸方向で左右方向のみに湾曲させることが出来る構成としたことによって、外耳道の外耳道から鼓膜６へと正対する方向にイヤーピース２の湾曲を設定することが容易となる。
これにより、イヤーピース２を外耳道の奥までしっかりと装着でき、更に良好な音質と装着感とが得られるイヤホンを提供することが出来る。
【図面の簡単な説明】
【００２８】
【図１】本発明のイヤホンに係る全体図である。
【図２】フロントハウジングの形状を示した説明図である。
【図３】イヤーピースの形状を示した説明図である。
【図４】本発明のイヤーピースの動きを示した説明図である。
【図５】本発明のイヤホンを外耳道に装着した状態を示した説明図である。
【符号の説明】
【００２９】１  イヤホン
２  イヤーピース
３  フロントハウジング
４  ドライバーユニット
５  リアハウジング
６  鼓膜
２１  筒状部
２２  傘状部
２３  凸環
３１  音導管
３２  円錐台部
３３  板部材
３４  係合凸部
【図１】
2018182707.tif 000003
【図２】
2018182707.tif 000004
【図３】
2018182707.tif 000005
【図４】
2018182707.tif 000006
【図５】
2018182707.tif 000007